(57)【要約】【課題】蓋付き容器において蓋を大きく開いた状態に保持することができるようにする。【解決手段】乳製品を充填した容器本体（２）と、容器本体の開口部を覆う蓋とを具備する蓋付き容器において、蓋が、容器本体の開口部を繰り返し密封可能な被せ蓋部（１０）と、容器本体の回りに巻き付けられる外れ防止用巻付け部（１１）と、被せ蓋部と外れ防止用巻付け部とを連結するピルファープルーフ部と、被せ蓋部と外れ防止用巻付け部との間にピルファープルーフ部の一部を除くように形成される空隙部とを備え、空隙部内に被せ蓋部と外れ防止用巻付け部とを連結するヒンジ部（１８ａ）が複数箇所にわたって設けられ、ピルファープルーフ部を除去後ヒンジ部で被せ蓋部を開放した時に被せ蓋部を開放状態に係止する係止突起（２０）が外れ防止用巻付け部に設けられる。【選択図】      図１０
2004307040.tif 000002
【特許請求の範囲】
【請求項１】
乳製品を充填した容器本体と、容器本体の開口部を覆う蓋とを具備する蓋付き容器において、蓋が、容器本体の開口部を繰り返し密封可能な被せ蓋部と、容器本体の回りに巻き付けられる外れ防止用巻付け部と、被せ蓋部と外れ防止用巻付け部とを連結するピルファープルーフ部と、被せ蓋部と外れ防止用巻付け部との間にピルファープルーフ部の一部を除くように形成される空隙部とを備え、空隙部内に被せ蓋部と外れ防止用巻付け部とを連結するヒンジ部が複数箇所にわたって設けられ、ピルファープルーフ部を除去後ヒンジ部で被せ蓋部を開放した時に被せ蓋部を開放状態に係止する係止突起が外れ防止用巻付け部に設けられたことを特徴とする蓋付き容器。
【請求項２】
請求項１に記載の蓋付き容器において、外れ防止用巻付け部から被せ蓋部に向かって突出する台座片が空隙部内に設けられたことを特徴とする蓋付き容器。
【請求項３】
請求項２に記載の蓋付き容器において、係止突起が台座片に設けられたことを特徴とする蓋付き容器。
【請求項４】
請求項１乃至請求項３のいずれかに記載の蓋付き容器において、ピルファープルーフ部を除去後ヒンジ部で被せ蓋部を開放した時に被せ蓋部を開放状態へと案内する案内片が外れ防止用巻付け部又は台座片に設けられたことを特徴とする蓋付き容器。
【請求項５】
請求項４に記載の蓋付き容器において、案内片が係止突起と一体で設けられたことを特徴とする蓋付き容器。
【請求項６】
請求項１乃至請求項５のいずれかに記載の蓋付き容器において、被せ蓋部が係止突起に係止する時の開度以上に被せ蓋部が開くのを阻止するストッパが設けられたことを特徴とする蓋付き容器。
【請求項７】
請求項１乃至請求項６のいずれかに記載の蓋付き容器において、外れ防止用巻付け部が容器本体の壁面下に没するように容器本体に巻き付けられたことを特徴とする蓋付き容器。
【発明の詳細な説明】
【０００１】
【発明の属する技術分野】
本発明は、乳製品を小出しに取り出すことができる再封可能な蓋付き容器に関する。
【０００２】
【従来の技術】
特許文献１が開示する蓋付き容器は、内容物を充填した容器本体と、容器本体の開口部を閉じる蓋とを備え、蓋が、容器本体の開口部を繰り返し密封可能な被せ蓋部と、容器本体の開口部の半周に巻き付けられる外れ防止用巻付け部と、容器本体の開口部の残りの半周に巻き付けられるピルファープルーフ用のバンド部と、被せ蓋部を外れ防止用巻付け部側とバンド部側とに区画するように被せ蓋部上を横断するヒンジ部とを具備する。
【０００３】
容器を開封するに際して、まずピルファープルーフ用のバンド部を引きちぎり、このバンド部に対応した被せ蓋部の箇所を容器本体から解放する。次に、この被せ蓋部の箇所を容器本体上に押し上げるようにすると、被せ蓋部がヒンジ部の箇所で上方に屈曲し、容器本体の開口部が開放される。被せ蓋部の外れ防止用巻付け部に対応した箇所は容器本体側に残留するので、被せ蓋部は容器本体上に留まったままで開閉動作することになる。内容物を取り出した後、被せ蓋部を下方に押し下げるようにすると、容器本体の開口部を再度密封することができる。
【０００４】
【特許文献１】実公平７−３９８０３号公報
【０００５】
【発明が解決しようとする課題】
特許文献１に記載された蓋付き容器はピルファープルーフ用のバンド部を切断した後も繰り返し再封可能であるが、ヒンジ部のバネ作用で被せ蓋部が閉じる方向に戻ろうとするので、内容物を取り出し難いという問題がある。また、ヒンジ部の両端と容器本体の開口部との境界部に隙間が生じるので、再封後に容器本体の密封性を維持し難いという問題がある。
【０００６】
本発明は、上記諸問題点を解決することができる蓋付き容器を提供することを目的とする。
【０００７】
【課題を解決するための手段】
上記目的を達成するため、請求項１に係る発明は、乳製品を充填した容器本体（２，５２）と、容器本体の開口部（８）を覆う蓋（１，５１）とを具備する蓋付き容器において、蓋（１，５１）が、容器本体（２，５２）の開口部（８）を繰り返し密封可能な被せ蓋部（１０，６０）と、容器本体（２，５２）の回りに巻き付けられる外れ防止用巻付け部（１１，６１）と、被せ蓋部（１０，６０）と外れ防止用巻付け部（１１，６１）とを連結するピルファープルーフ部（１２，６２）と、被せ蓋部（１０，６０）と外れ防止用巻付け部（１１，６１）との間にピルファープルーフ部（１２，６２）の一部を除くように形成される空隙部（１３，６３）とを備え、空隙部（１３，６３）内に被せ蓋部（１０，６０）と外れ防止用巻付け部（１１，６１）とを連結するヒンジ部（１８ａ，１８ｂ，６８ａ，６８ｂ）が複数箇所にわたって設けられ、ピルファープルーフ部（１２，６２）を除去後ヒンジ部（１８ａ，１８ｂ，６８ａ，６８ｂ）で被せ蓋部（１０，６０）を開放した時に被せ蓋部（１０，６０）を開放状態に係止する係止突起（２０，７０）が外れ防止用巻付け部（１１，６１）に設けられた蓋付き容器を採用する。
【０００８】
この請求項１に係る発明によれば、開蓋に際しピルファープルーフ部（１２，６２）を切断後ヒンジ部（１８ａ，１８ｂ，６８ａ，６８ｂ）で被せ蓋部（１０，６０）を開放すると、被せ蓋部（１０，６０）が係止突起（２０，７０）に係止し開放状態に保持され、容器本体（２，５２）の開口部（８）全体が開放される。被せ蓋部（１０，６０）をヒンジ部（１８ａ，１８ｂ，６８ａ，６８ｂ）を支点として大きな開き角度で全開させた時、係止突起（２０，７０）が被せ蓋部（１０）と係合し、被せ蓋部（１０，６０）を開放状態に係止するので、被せ蓋部（１０，６０）を全開状態に保持することができ、内蓋の取り外し操作や、容器本体（２，５２）に充填された乳製品の計量、取り出し操作を容易に行うことができる。乳製品を小出しに取り出した後も、被せ蓋部（１０，６０）の係止突起（２０，７０）による係止を外すことでヒンジ部（１８ａ，１８ｂ，６８ａ，６８ｂ）を利用して密封性よく再封することができる。
【０００９】
なお、乳製品には、「乳及び乳製品の成分規格等に関する省令（乳等省令）：昭和２６年１２月２７日厚生省令第５２号」における「乳」、「乳製品」及び「乳又は乳製品を主原料とする食品」が含まれ、具体的には、乳、加工乳、乳飲料、はっ酵乳、アイスクリーム、アイスミルク、ラクトアイス、チーズ、調製粉乳、全脂粉乳、脱脂粉乳、練乳等が挙げられ、この蓋付き容器はいずれの乳製品も包装可能である。ただし、本発明は、容器が開封された後に長期にわたり喫食される乳製品に好適であり、かかる乳製品としては粉末形状の乳製品、即ち粉乳が好ましく、本発明の効果を最大限に享受することができる。なお、粉乳とは、調製粉乳、全脂粉乳、脱脂粉乳等の他、粉末クリーム、インスタントクリーミーパウダー、ホエイパウダー、バターミルクパウダー、加糖粉乳等も含まれる。
【００１０】
また、請求項２に係る発明は、請求項１に記載の蓋付き容器において、外れ防止用巻付け部（１１，６１）から被せ蓋部（１０，６０）に向かって突出する台座片（２１，７１）が空隙部（１３，６３）内に設けられた蓋付き容器を採用する。
【００１１】
この請求項２に係る発明によれば、蓋（１，５１）を容器本体（２，５２）の開口部（８）に被せて押圧すると、ピルファープルーフ部（１２，６２）と外れ防止用巻付け部（１１，６１）とが容器本体（２，５２）に嵌り込み、その際台座片（２１，７１）が空隙部（１３，６３）内において被せ蓋部（１０，６０）に当接し、外れ防止用巻付け部（１１，６１）の撓み変形を防止する。このため、外れ防止用巻付け部（１１，６１）が容器本体（２，５２）に円滑に嵌り込む。
【００１２】
また、請求項３に係る発明は、請求項２に記載の蓋付き容器において、係止突起（２０，７０）が台座片（２１，７１）に設けられた蓋付き容器を採用する。
【００１３】
この請求項２に係る発明によれば、係止突起（２０，７０）が台座片（２１，７１）に設けられるので、台座片（２１，７１）が補強され、この蓋（１，５１）を容器本体（２，５２）の開口部（８）に被せ押圧する際に台座片（２１，７１）の変形がより適正に防止され、外れ防止用巻付け部（１１，６１）が容器本体（２，５２）に円滑に嵌り込む。
【００１４】
また、請求項４に係る発明は、請求項１乃至請求項３のいずれかに記載の蓋付き容器において、ピルファープルーフ部（１２，６２）を除去後ヒンジ部（１８ａ，１８ｂ，６８ａ，６８ｂ）で被せ蓋部（１０，６０）を開放した時に被せ蓋部（１０，６０）を開放状態へと案内する案内片（２２，７２）が外れ防止用巻付け部（１１，６１）又は台座片（２１，７１）に設けられた蓋付き容器を採用する。
【００１５】
この請求項４に係る発明によれば、開蓋に際しピルファープルーフ部（１２，６２）を切断後ヒンジ部（１８ａ，１８ｂ，６８ａ，６８ｂ）で被せ蓋部（１０，６０）を開放すると、被せ蓋部（１０，６０）が案内片（２２，７２）に案内されつつ係止突起（２０，７０）に係止する。従って、被せ蓋部（１０，６０）の開蓋操作が円滑化され、開放状態の保持が正確に行われる。
【００１６】
また、請求項５に係る発明は、請求項４に記載の蓋付き容器において、案内片（２２，７２）が係止突起（２０，７０）と一体で設けられた蓋付き容器を採用する。
【００１７】
この請求項５に係る発明によれば、案内片（２２，７２）が係止突起（２０，７０）に設けられるので、係止突起（２０，７０）が補強されて剛性が高められ、被せ蓋部（１０，６０）と案内片（２２，７２）との係合力が高められる。
【００１８】
また、請求項６に係る発明は、請求項１乃至請求項５のいずれかに記載の蓋付き容器において、被せ蓋部（１０，６０）が係止突起（２０，７０）に係止する時の開度以上に被せ蓋部（１０，６０）が開くのを阻止するストッパ（７３，７４）が設けられた蓋付き容器を採用する。
【００１９】
この請求項６に係る発明によれば、被せ蓋部（１０，６０）を開けた際、被せ蓋部（１０，６０）が係止突起（２０，７０）に係止するとストッパ（７３，７４）によりそれ以上の開きを阻止される。これにより、被せ蓋部（１０，６０）の過度の開きによる外れ防止用巻付け部（１１，６１）ひいては被せ蓋部（１０，６０）の容器本体（２，５２）からの脱落やヒンジ部（１８ａ，１８ｂ，６８ａ，６８ｂ）の変形、破断が防止される。また、被せ蓋部（１０，６０）の内面に使用方法等が表示されている場合は使用者が視認しやすくなる。
【００２０】
また、請求項７に係る発明は、請求項１乃至請求項６のいずれかに記載の蓋付き容器において、外れ防止用巻付け部（１１，６１）が容器本体（２，５２）の壁面下に没するように容器本体（２，５２）に巻き付けられた蓋付き容器を採用する。
【００２１】
この請求項７に係る発明によれば、容器本体（２，５２）を把持する使用者の指等が外れ防止用巻付け部（１１，６１）に引っ掛からないようにすることができるので、外れ防止用巻付け部（１１，６１）ひいては被せ蓋部（１０，６０）の容器本体（２，５２）からの脱落が防止される。
【００２２】
【発明の実施の形態】
次に、本発明の実施の形態について図面を参照して説明する。
【００２３】
＜実施の形態１＞
この蓋付き容器は、図１乃至図５に示す構造の蓋１と、図６に示す構造の容器本体２とで構成される。
【００２４】
容器本体２は、図６に示すように、この実施の形態では金属製の缶として形成され、円筒状の胴部３が上下の端板４，５で閉じられている。胴部３と上端板４との間には胴部３の外周へと突出する上環状突起６が形成される。この上環状突起６は缶成形の際の巻き締めにより生じたリムとして形成される。上環状突起６よりやや下方の胴部３上には蓋１を容器本体２側に固定する手段である下環状突起７が形成される。上環状突起６から下環状突起７に至る箇所は胴部３の最大径部分より括れており、この部分に装着される蓋１の外周が容器本体２の胴部３の表面から外へ大きく突出しないようになっている。
【００２５】
容器本体２の上端板４には、摺り切り縁８ａを有する開口部８が形成される。この開口部８は内蓋９により密封される。内蓋９は例えばアルミニウム箔等のガスバリヤー性基材にヒートシール性樹脂を積層したシート片で形成され、上端板４に開口部８を塞ぐようにヒートシールされる。この内蓋９はイージーオープン性を付与され、上端板４から容易に引き剥がして開口部８を開けることが可能である。この内蓋９は容器本体２内に図示しない調製粉乳を充填した後シールされる。
【００２６】
容器本体２は金属のほかプラスチック、プラスチックを主体とする複合材等で成形することも可能である。容器本体２の形態は円筒状容器が適する。
【００２７】
蓋１は、例えばポリエチレン、ポリプロピレン、これらの共重合体等の材料を射出成形等で一体成形することにより得ることができる。
【００２８】
蓋１は、図１乃至図５に示すように、容器本体２の開口部８を密封する被せ蓋部１０と、容器本体２の回りに巻き付けられる外れ防止用巻付け部１１と、被せ蓋部１０と外れ防止用巻付け部１１とを連結するピルファープルーフ部１２と、被せ蓋部１０と外れ防止用巻付け部１１との間にピルファープルーフ部１２の一部を除くように形成される空隙部１３とを備える。この蓋１は図７に示すように、上記容器本体２に上端板４の上から被せるようにして装着される。
【００２９】
被せ蓋部１０は、図２乃至図５に示すように、容器本体２の開口部８の存する上端板４に合致する形状の天板１０ａと、天板１０ａの外周から垂下し容器本体２の胴部３の上部を取り巻く垂下壁１０ｂとを具備する。
【００３０】
天板１０ａには、例えばこの蓋１をインサートインジェクションにより製造することによりラベル紙等が貼り付けられ、種々の絵柄が表示される。また、天板１０ａの肩には段丘部１４ａ，１４ｂが上下二段にわたって環状に形成される。上段の段丘部１４ａは図７に示すような蓋１を被せた容器本体２を積み重ねておくために利用される。この段丘部１４ａ上に上段の容器本体２における下縁のリム６ａが載せられることにより容器本体２同士が積み重ねられる。下段の段丘部１４ｂは蓋１を容器本体２に装着する前に多数積み重ねておくために利用される。この段丘部１４ｂ上に上段の蓋１の下縁が乗せられることにより蓋１同士が高く積み重ねられる。
【００３１】
図４及び図５に示すように、垂下壁１０ｂの内周面には係合突起１５が環状に形成され、被せ蓋部１０が上端板４上に被せられた状態でこの係合突起１５が容器本体２の上環状突起６と係合する。これにより、被せ蓋部１０は容器本体２の上端板４の開口部８を気密的に塞ぎ、また、後述するように係合突起１５を上環状突起６に対し係脱させることにより開口部８を繰り返し気密的に再封することが可能となる。
【００３２】
図２乃至図５に示すように、外れ防止用巻付け部１１は、上記垂下壁１０ｂと略同径の環状バンドであり、容器本体２からの蓋１の脱落を防止する手段として容器本体２の下環状突起７と係合する係止凸部１６を内面に備える。この係止凸部１６が下環状突起７と係合することにより、蓋１が容器本体２から容易に外れないように固定される。この外れ防止用巻付け部１１は、後述するようにピルファープルーフ部１２を切り取った後も容器本体２から抜け落ちないように容器本体２の胴部３に巻き付く。
【００３３】
図２乃至図５に示すように、ピルファープルーフ部１２は、被せ蓋部１０の垂下壁１０ｂの下縁と外れ防止用巻付け部１１の上縁との間にバンド状に介在し、これら三者間の境界線上にはＶ字形の環状溝１７ａ，１７ｂが形成される。
【００３４】
図２乃至図５に示すように、被せ蓋部１０と外れ防止用巻付け部１１との間には、ピルファープルーフ部１２の一部を除くように空隙部１３が形成され、この空隙部１３内にピルファープルーフ部１２の両端が摘み片１２ａ，１２ｂとして突出する。摘み片１２ａ又は１２ｂを摘んでピルファープルーフ部１２を蓋１の半径方向に引っ張りつつ環状溝１７ａ，１７ｂ上で引き裂くと、図８に示すように、空隙部１３内の後述するヒンジ部１８ａ，１８ｂの箇所を除いて被せ蓋部１０が外れ防止用巻付け部１１から分離される。これにより、図９及び図１０に示すように、被せ蓋部１０を開くことができる。
【００３５】
このピルファープルーフ部１２はこの実施の形態ではバンド状に形成されるが、被せ蓋部１０の垂下壁１０ｂの下縁と外れ防止用巻付け部１１の上縁との境界線上に環状に配置される複数個の細いつなぎ部として設けることも可能である。
【００３６】
図２乃至図４に示すように、空隙部１３は、被せ蓋部１０と外れ防止用巻付け部１１との境界に沿うように湾曲して伸びる。この空隙部１３内に、被せ蓋部１０と外れ防止用巻付け部１１とを連結するヒンジ部１８ａ，１８ｂが二箇所にわたって設けられる。各ヒンジ部１８ａ，１８ｂは蓋１と一体的に形成され、それらの中央部には屈曲しやすくするため薄肉部１９が形成される。
【００３７】
図１乃至図４に示すように、両ヒンジ部１８ａ，１８ｂ間において、係止突起２０が空隙部１３に臨むように外れ防止用巻付け部１１に設けられる。係止突起２０は外れ防止用巻付け部１１の外面から半径方向に突出する板片であり、ピルファープルーフ部１２を除去後ヒンジ部１８ａ，１８ｂで被せ蓋部１０を開放した時に、図１０に示すように、被せ蓋部１０を開放状態に係止する。被せ蓋部１０はヒンジ部１８ａ，１８ｂを支点にして上端板４から９０°ないし１２０°の開き角度で拡開し、被せ蓋部１０の垂下壁１０ｂの内面の係合突起１５が係止突起２０に引っ掛かったところで停止する。被せ蓋部１０は屈曲したヒンジ部１８ａ，１８ｂのバネ作用により係止突起２０に食い込もうとするので、開口部８を全開した状態を保持する。このように被せ蓋部１０を全開状態に保持するには、図１に示すように二つのヒンジ部１８ａ，１８ｂを蓋１の天板１０ａの中心に関しある程度の大きさの角度θで配置する必要がある。この角度θは望ましくは９０°以下、より望ましくは６０°以下である。
【００３８】
図２乃至図４に示すように、空隙部１３内には、外れ防止用巻付け部１１から被せ蓋部１０に向かって突出する台座片２１が設けられる。台座片２１は外れ防止用巻付け部１１の延長部として形成される。台座片２１はその上縁が被せ蓋部１０の垂下壁１０ｂの下縁にできるだけ接近するように形成される。この蓋１を容器本体２の開口部８のある上端板４から被せて押圧すると、図７に示すように、被せ蓋部１０とピルファープルーフ部１２と外れ防止用巻付け部１１とが容器本体２に嵌り込む。その際、台座片２１が空隙部１３内において被せ蓋部１０の垂下壁１０ｂの下縁に当接し、外れ防止用巻付け部１１の押圧方向での撓み変形を防止する。このため、外れ防止用巻付け部１１が容器本体２の下環状突起７に円滑に嵌り込む。
【００３９】
この外れ防止用巻付け部１１が容器本体２の下環状突起７に嵌り込んだ後は、図７及び図８に示すように、容器本体２の壁面下に没するように容器本体２に巻き付くので、容器本体２を把持する使用者の指等が外れ防止用巻付け部１１に引っ掛からない。従って、ピルファープルーフ部１２を引き裂く前又は引き裂いた後において、外れ防止用巻付け部１１ひいては被せ蓋部１０の容器本体２からの脱落が防止される。
【００４０】
上記係止突起２０は、望ましくは台座片２１の外面に一体的に設けられる。このように係止突起２０を台座片２１に設けると、台座片２１が補強され、この蓋１を容器本体２の開口部８に被せて押圧する際に台座片２１の変形がより適正に防止され、外れ防止用巻付け部１１が容器本体２に円滑に嵌り込む。
【００４１】
上述したように、ピルファープルーフ部１２を除去後、被せ蓋部１０をヒンジ部１８ａ，１８ｂを支点にして開放すると被せ蓋部１０が係止突起２０によって開放状態に保持されるが、図２、図３、図４及び図９に示すように、この被せ蓋部１０を開放状態へと案内するための案内片２２が外れ防止用巻付け部１１に設けられる。
【００４２】
案内片２２は係止突起２０の上面と外れ防止用巻付け部１１の外面との境の隅部にリブ状に設けられる。この案内片２２は外れ防止用巻付け部１１の上縁から係止突起２０の先端に向かって傾斜する傾斜縁２２ａを有する。
【００４３】
開蓋に際し、ピルファープルーフ部１２を切断後、ヒンジ部１８ａ，１８ｂで被せ蓋部１０を開放すると、被せ蓋部１０の垂下壁１０ｂの下縁が案内片２２の傾斜縁２２ａ上を滑って案内されつつ係止突起２０を下方に乗り越えて係止突起２０に係止する。これにより、被せ蓋部１０の開蓋操作が円滑化され、開放状態の保持が正確に行われる。
【００４４】
案内片２２は、係止突起２０と別体として形成することもできるが、望ましくは上述したように係止突起２０と一体で設けられる。このように案内片２２を係止突起２０と一体化すると、係止突起２０が補強されてその剛性が高まり、被せ蓋部１０と係止突起２０との係合力が向上する。
【００４５】
次に、上記蓋付き容器の作用について説明する。
【００４６】
まず、容器本体２に調製粉乳が開口部８から充填され、開口部８上から蓋１が次のようにして装着される。
【００４７】
蓋１を容器本体２に開口部８の上から被せて押圧すると、図７に示すように、被せ蓋部１０とピルファープルーフ部１２と外れ防止用巻付け部１１とが容器本体２に嵌り込む。
【００４８】
その際、台座片２１が空隙部１３内において被せ蓋部１０の垂下壁１０ｂの下縁に当接し、外れ防止用巻付け部１１の押圧方向での撓み変形を防止する。このため、図４及び図５に示すように、外れ防止用巻付け部１１の係止凸部１６が容器本体２の下環状突起７と適正に係合する。
【００４９】
また、被せ蓋部１０の垂下壁１０ｂの係合突起１５が容器本体２の上環状突起６と係合し、被せ蓋部１０が容器本体２の上端板４の開口部８を気密的に塞ぐ。
【００５０】
さらに、外れ防止用巻付け部１１の係止凸部１６が容器本体２の下環状突起７と係合し、これにより蓋１が容器本体２から容易に外れないように固定される。
【００５１】
図７に示す状態において、蓋付き容器にはピルファープルーフ部１２の存在が認められるので、未開封であることが容易に判別される。
【００５２】
この蓋付き容器を開封するには、ピルファープルーフ部１２をその端部の摘み片１２ａ又は１２ｂを摘んで引き剥がし、図８に示すように被せ蓋部１０を開封可能な状態にする。
【００５３】
次いで、被せ蓋部１０のヒンジ部１８ａ，１８ｂが設けられた側の反対側を引き上げることにより、ヒンジ部１８ａ，１８ｂを支点として図９に示すように被せ蓋部１０を開く。
【００５４】
開蓋の際、被せ蓋部１０の垂下壁１０ｂの下縁が案内片２２の傾斜縁２２ａ上を滑って案内されつつ係止突起２０を下方に乗り越え、図１０に示すように係止突起２０に係止する。このように、被せ蓋部１０が案内片２２により案内されるので、被せ蓋部１０の開蓋操作が円滑化され、開放状態の保持が的確に行われる。
【００５５】
被せ蓋部１０はヒンジ部１８ａ，１８ｂを支点にして上端板４から９０°ないし１２０°の開き角度で全開し、被せ蓋部１０の垂下壁１０ｂの内面が係止突起２０に引っ掛かったところで停止する。被せ蓋部１０は屈曲したヒンジ部１８ａ，１８ｂのバネ作用により係止突起２０に食い込もうとするので、上端板４及び開口部８を全開した状態を保持する。
【００５６】
被せ蓋部１０が開くと、内蓋９を上端板４から引き剥がし、開口部８を露出させる。そこで、計量スプーン等で調製粉乳をすくい上げ、摺り切り縁８ａで余分な調製粉乳をかき落とし計量する。この調製粉乳の取り出し操作中、被せ蓋部１０は容器本体２上に起立し全開状態を保持するので、簡易に調製粉乳を計量し取り出すことができる。
【００５７】
調製粉乳を取り出した後、被せ蓋部１０を上端板４上へと押すと、被せ蓋部１０がヒンジ部１８ａ，１８ｂのバネ力に抗して係止突起２０から離脱し、ヒンジ部１８ａ，１８ｂを支点にして上端板４上へと回動する。
【００５８】
そこで、被せ蓋部１０を上端板４上へ強く押し付けると、係合突起１５が上環状突起６を乗り越えて係合し、開口部８が気密的に再封される。従って、次回の使用まで調製粉乳が安全に保存される。
【００５９】
＜実施の形態２＞
この実施の形態２では、実施の形態１の場合と異なり、図１１乃至図１３に示すように、被せ蓋部６０には開蓋時に利用されるストッパ７３が設けられる。より具体的には、被せ蓋部６０における垂下壁６０ｂの外面に空隙部６３に臨むように、ストッパ７３が突起として形成される。図１５に示すように、被せ蓋部６０を開けた際、被せ蓋部６０が係止突起７０に係止すると、ストッパ７３によりそれ以上の開きを阻止される。これにより、被せ蓋部６０の過度の開きによる外れ防止用巻付け部６１ひいては被せ蓋部６０の容器本体５２からの脱落やヒンジ部６８ａ，６８ｂの変形、破断が防止される。また、被せ蓋部６０の内面に使用方法等が表示されている場合は、この表示を使用者が視認しやすくなる。
【００６０】
その他、この実施の形態２では、図１２及び図１３に示すように、ピルファープルーフ部６２における両端の摘み片６２ａ，６２ｂが空隙部６３内で幅広に形成され、また、図１１に示すように、その先端片７５が被せ蓋部６０の垂下壁６０ｂの外面から外側に突出している。操作者はこの先端片７５に指を掛けることにより、ピルファープルーフ部６２の摘み片６２ａ，６２ｂを摘みやすくなる。また、操作者がピルファープルーフ部６２を除去した後に被せ蓋部６０を開けやすくするため、図１１及び図１４に示すように、被せ蓋部６０のヒンジ部６８ａ，６８ｂと反対側には、指等を掛けるための摘み片７６が設けられている。また、台座片７１が空隙部６３内においてその上縁が被せ蓋部６０の垂下壁６０ｂの下縁にできるだけ接近するように形成されるほか、台座片７１の左右縁もヒンジ部部６８ａ，６８ｂにできるだけ接近するように形成される。これにより、蓋５１を容器本体５２に装着する際の外れ防止用巻付け部６１の変形がより適正に防止される。
【００６１】
なお、この実施の形態２の蓋付き容器において実施の形態１の蓋付き容器と同じ部分には同一の符号を付して示し、その詳細な説明は省略する。
【００６２】
＜実施の形態３＞
この実施の形態３では、実施の形態２の場合と異なり、図１６乃至図１７に示すように、被せ蓋部６０には開蓋時に利用されるストッパ７４が外れ防止用巻付け部６１に設けられる。より具体的には、外れ防止用巻付け部６１の外面の下側にストッパ７４が突起として形成される。図１７に示すように、被せ蓋部６０を開けた際、被せ蓋部６０が係止突起７０に係止すると、ストッパ７４に被せ蓋部６０の垂下壁６０ｂが当り、被せ蓋部６０はそれ以上の開きを阻止される。これにより、実施の形態２の場合と同様な効果を得ることができる。
【００６３】
なお、この実施の形態３の蓋付き容器において実施の形態１又は実施の形態２の蓋付き容器と同じ部分には同一の符号を付して示し、その詳細な説明は省略する。
【００６４】
【発明の効果】
請求項１に係る発明によれば、乳製品を充填した容器本体と、容器本体の開口部を覆う蓋とを具備する蓋付き容器において、蓋が、容器本体の開口部を繰り返し密封可能な被せ蓋部と、容器本体の回りに巻き付けられる外れ防止用巻付け部と、被せ蓋部と外れ防止用巻付け部とを連結するピルファープルーフ部と、被せ蓋部と外れ防止用巻付け部との間にピルファープルーフ部の一部を除くように形成される空隙部とを備え、空隙部内に被せ蓋部と外れ防止用巻付け部とを連結するヒンジ部が複数箇所にわたって設けられ、ピルファープルーフ部を除去後ヒンジ部で被せ蓋部を開放した時に被せ蓋部を開放状態に係止する係止突起が外れ防止用巻付け部に設けられた蓋付き容器であるから、開蓋に際しピルファープルーフ部を切断後ヒンジ部で被せ蓋部を開放すると、被せ蓋部が係止突起に係止し開放状態に保持され、容器本体の開口部全体が開放される。被せ蓋部をヒンジ部を支点として大きな開き角度で全開させた時、係止突起が被せ蓋部と係合し、被せ蓋部を開放状態に係止するので、被せ蓋部を全開状態に保持することができ、内蓋の取り外し操作や、容器に充填された乳製品の計量、取り出し操作を容易に行うことができる。乳製品を小出しに取り出した後も、被せ蓋部の係止突起による係止を外すことでヒンジ部を利用して密封性よく再封することができる。
【００６５】
請求項２に係る発明によれば、請求項１に記載の蓋付き容器において、外れ防止用巻付け部から被せ蓋部に向かって突出する台座片が空隙部内に設けられた蓋付き容器であるから、蓋を容器本体の開口部に被せて押圧すると、ピルファープルーフ部と外れ防止用巻付け部とが容器本体に嵌り込み、その際台座片が空隙部内において被せ蓋部に当接し、外れ防止用巻付け部の撓み変形を防止する。このため、外れ防止用巻付け部が容器本体に円滑に嵌り込む。
【００６６】
請求項３に係る発明によれば、請求項２に記載の蓋付き容器において、係止突起が台座片に設けられた蓋付き容器であるから、台座片が補強され、この蓋を容器本体の開口部に被せ押圧する際に台座片の変形がより適正に防止され、外れ防止用巻付け部が容器本体に円滑に嵌り込む。
【００６７】
請求項４に係る発明によれば、請求項１乃至請求項３のいずれかに記載の蓋付き容器において、ピルファープルーフ部を除去後ヒンジ部で被せ蓋部を開放した時に被せ蓋部を開放状態へと案内する案内片が外れ防止用巻付け部又は台座片に設けられた蓋付き容器であるから、開蓋に際しピルファープルーフ部を切断後ヒンジ部で被せ蓋部を開放すると、被せ蓋部が案内片に案内されつつ係止突起に係止する。従って、被せ蓋部の開蓋操作が円滑化され、開放状態の保持が正確に行われる。
【００６８】
請求項５に係る発明によれば、請求項４に記載の蓋付き容器において、案内片が係止突起と一体で設けられた蓋付き容器であるから、係止突起が補強されて剛性が高められ、被せ蓋部と案内片との係合力が高められる。
【００６９】
請求項６に係る発明によれば、請求項１乃至請求項５のいずれかに記載の蓋付き容器において、被せ蓋部が係止突起に係止する時の開度以上に被せ蓋部が開くのを阻止するストッパが設けられた蓋付き容器であるから、被せ蓋部を開けた際、被せ蓋部が係止突起に係止するとストッパによりそれ以上の開きを阻止される。これにより、被せ蓋部の過度の開きによる外れ防止用巻付け部ひいては被せ蓋部の容器本体からの脱落やヒンジ部の変形、破断が防止される。また、被せ蓋部の内面に使用方法等が表示されている場合使用者が視認しやすくなる。
【００７０】
請求項７に係る発明によれば、請求項１乃至請求項６のいずれかに記載の蓋付き容器において、外れ防止用巻付け部が容器本体の壁面下に没するように容器本体に巻き付けられた蓋付き容器であるから、容器本体を把持する使用者の指等が外れ防止用巻付け部に引っ掛からないようにすることができ、外れ防止用巻付け部ひいては被せ蓋部の容器本体からの脱落が防止される。
【図面の簡単な説明】
【図１】本発明に係る蓋付き容器の平面図である。
【図２】図１中、ＩＩ方向矢視図である。
【図３】図１中、ＩＩＩ方向矢視図である。
【図４】図２中、ＩＶ−ＩＶ線矢視断面図である。
【図５】図３中、Ｖ−Ｖ線矢視断面図である。
【図６】容器本体の半断面図である。
【図７】蓋を被せた容器本体の半断面図である。
【図８】図７に示す容器において蓋からピルファープルーフ部を除去した状態を示す半断面図である。
【図９】蓋の被せ蓋部を開ける過程を示す部分拡大図である。
【図１０】蓋の被せ蓋部を開け終わった状態を示す部分拡大図である。
【図１１】本発明の実施の形態２に係る容器の蓋の平面図である。
【図１２】図１１中、ＸＩＩ方向矢視図である。
【図１３】図１２中、ＸＩＩＩ−ＸＩＩＩ線矢視断面図である。
【図１４】図１１中、ＸＩＶ−ＸＩＶ線矢視断面図である。
【図１５】蓋の被せ蓋部を開け終わった状態を示す部分拡大図である。
【図１６】本発明の実施の形態３に係る容器の蓋の側面図である。
【図１７】蓋の被せ蓋部を開け終わった状態を示す部分拡大図である。
【符号の説明】
１，５１…蓋
２，５２…容器本体
８…開口部
１０，６０…被せ蓋部
１１，６１…外れ防止用巻付け部
１２，６２…ピルファープルーフ部
１３，６３…空隙部
１８ａ，１８ｂ…ヒンジ部
２０，７０…係止突起
２１，７１…台座片
２２，７２…案内片
７３，７４…ストッパ
【図１】
2004307040.tif 000003
【図２】
2004307040.tif 000004
【図３】
2004307040.tif 000005
【図４】
2004307040.tif 000006
【図５】
2004307040.tif 000007
【図６】
2004307040.tif 000008
【図７】
2004307040.tif 000009
【図８】
2004307040.tif 000010
【図９】
2004307040.tif 000011
【図１０】
2004307040.tif 000012
【図１１】
2004307040.tif 000013
【図１２】
2004307040.tif 000014
【図１３】
2004307040.tif 000015
【図１４】
2004307040.tif 000016
【図１５】
2004307040.tif 000017
【図１６】
2004307040.tif 000018
【図１７】
2004307040.tif 000019